(57)【特許請求の範囲】
【請求項１】
転写シートと受容シートとを重ね合わせた感圧複写シートであって、
前記転写シートの対向面の要所に、該転写シート側から順に顕色剤層とバックカーボンインキ層とを積層して設け、
受容シートの対向面における前記バックカーボンインキ層に少なくとも対向する所定領域に、該転写シート側から順に前記バックカーボンインキとは異色に発色する発色剤を含有した発色剤マイクロカプセル層と硬質層を積層して設けたことを特徴とする改竄防止用感圧複写シート。
【請求項２】
上記硬質層がＵＶ硬化型メジウムインキまたは油性メジウムインキを塗布してなることを特徴とする請求項１に記載の改竄防止用感圧複写シート。
【発明の詳細な説明】
【０００１】
【発明の属する技術分野】
本発明は、バックカーボンを用いた感圧複写シートにおいて、改竄による不正行為を簡単に見抜けるようにした、バックカーボンを用いた改竄防止用感圧複写シートに関するものである。
【０００２】
【発明が解決しようとする課題】
一般に、複写帳票類としてはノーカーボン用紙の用いられたものが主流であるが、ＰＣＢ薬剤の毒性問題の後遺症から依然としてバックカーボン用紙を用いたものが要求されており、又その需要も多い。このように現在においても多く利用されているバックカーボン形式の感圧複写シートは、例えば図４（ａ）のように対向面側要所にバックカーボンインキ層Ｐが設けられた転写シートＱと、これに対応する受容シートＲとが一方の端部で綴合Ｓされた構成のものが代表的である。
【０００３】
しかしながら、上述した従来のバックカーボン形式の感圧複写シートでは、管理される転写シートＱと顧客などに控えとして渡す受容シートＲを別々にして、その転写シートＱと受容シートＲとのそれぞれに単独に内容を記入するという改竄が行われても、回収管理する転写シートから検証する方法が無いという問題がある。
即ち、申請者（作為者）が感圧複写シートの転写シートＱと受容シートＲを別々にして、図４（ｂ）のように転写シートＱと申請者が不正に用意した別の受容シートＲ１を合わせてその転写シートＱに記載事項Ａを記入して、その記載事項Ａを有する転写シートＱを管理部門などに提出し、さらに、図４（ｃ）のように申請者が不正に用意したバックカーボンインキ層Ｐを有する別の転写シートＱ１を利用して正規の受容シートＲに対して異なる記載事項Ｂを複写記入して、これを受諾者に提出する。
このようにした場合、受諾者が持っている受容シートＲの記載事項Ｂと管理部門などが管理する転写シートＱに記載された記載事項Ａとに相違があるため不正問題が発生する。これらは、申請者の改竄行為が巧妙であると転写シートの記載事項の真偽の判別がつかなくなってしまう。
【０００４】
本発明者にあっては、このような改竄を簡単に見抜くことで不正を未然に防止できるようにするために、先にバックカーボンを用いた改竄防止用感圧複写シートに関して、転写シートの受容シート側対向面に顕色剤とバックカーボン層を順に積層するとともに、受容シートの転写シート側対向面に前記バックカーボンインキとは異色に発色する発色剤を含有した発色剤マイクロカプセル層を設けた感圧複写シートを提案している。この感圧複写シートにあっては、正規使用時のみにバックカーボンインキの転移による受容シート表面側への複写と、発色剤の転移による転写シート裏面側への複写とが同時に行われるようにしたものである。すなわち、この転写シート裏面側への複写を確認することにより改竄の有無が判別できるのである。
そして、本発明においては、このような転写シート裏面側への複写がより鮮明なものとなるようにすることを課題し、その複写像の確認がより簡単に行なえるようにすることを目的とする。
【０００５】
【課題を解決するための手段】
本発明は上記課題を考慮してなされたもので、転写シートと受容シートとを重ね合わせた感圧複写シートであって、前記転写シートの対向面の要所に、該転写シート側から順に顕色剤層とバックカーボンインキ層とを積層して設け、受容シートの対向面における前記バックカーボンインキ層に少なくとも対向する所定領域に、該転写シート側から順に前記バックカーボンインキとは異色に発色する発色剤を含有した発色剤マイクロカプセル層と硬質層を積層して設けたことを特徴とする改竄防止用感圧複写シートを提供して、上記課題を解消するものである。
そして、本発明において、上記硬質層がＵＶ硬化型メジウムインキまたは油性メジウムインキを塗布してなることが良好である。
【０００６】
【発明の実施の形態】
つぎに本発明を図１から図３に示す実施の形態に基づいて詳細に説明する。
先ず、図１において、図中１は改竄防止用感圧複写シートで、該感圧複写シート１は、転写シート２と受容シート３とが重ね合わされて一方の端部で綴合４されたものである。前記転写シート２の表面には図示されていない記入欄が設けられている。そして、この転写シート２の受容シート３に対する対向面においては、前記記入欄に対応する領域に転写シート２側から順に顕色剤層５とバックカーボンインキからなるバックカーボンインキ層６が積層されている。
一方、受容シート３の上記転写シート２に対する対向面においては、上記バックカーボンインキ層６に少なくとも対向する所定領域に、転写シート３側から順に発色剤マイクルカプセル層７と硬質層８とが積層されていて、前記発色剤マイクロカプセル層７にあっては、バックカーボンインキとは異色に発色する発色剤を含有した透明の層であり、硬質層８にあってはアンダーコート剤を塗布してなるアンダーコート層として形成されている。
【０００７】
前記顕色剤層５を形成する顕色剤としては、例えば活性白土、酸性白土、ゼオライト、ベントナイト等の粘土類、フェノール樹脂類、芳香族カルボン酸の多価金属塩類及びこれらの混合物が使用でき、特に印字の良好な保存性から２，２−ビスフェノールスルホン化合物の亜鉛塩等が好ましい。
【０００８】
前記発色剤マイクロカプセル層７に含有する発色剤は、電子供与性発色剤を使用することができ、例えばベンゾイルロイコメチレンブルー、ｐ−ニオロベンゾイルメチレンブルー等のチアジン系染料、３，３−ビス（ｐ−ジメチルアミノフェニル）−６−ジメチルアミノフタリド等のトリアニールメタン系染料、４，４−ビス−ジメチルアミノベンズヒドリルベンジルエーテル等のジフェニタルメタン系染料、３−フェニル−スピロージナフトピラン等のスピロ系染料、３−ピペリジノ−メチル−７−フェニルアミノフルオラン等のフルオラン系染料等から任意に選択できるが、バックカーボンインキと発色色調は異なることが前提となる。
【０００９】
このような発色剤を含有するマイクロカプセルは、公知のコアセルベーション法、界面重合法、インサイチュ重合法等により製造することができ、そのカプセル分散液を界面活性剤と共に、非水系溶媒に混合分散させ、油溶性バインダーを添加して調製する。
このマイクロカプセルは、スポット的に塗布でき、加熱せずとも速やかに乾燥できる紫外線硬化型のインキ化としたものが好適である。即ち、非水系のカプセル分散液に、非水系溶媒、バインダー、界面活性剤、カプセル保護剤、紫外線吸収剤、光重合開始剤、ワックス、増粘剤、増感剤、ゲル化剤等の主剤、補助剤を混合して成る紫外線硬化型のマイクロカプセル塗料としたものである。
【００１０】
硬質層を形成するためのアンダーコート剤の種類は特に限定されるものではないが、例えば、各種メジウムインキが良く、製造面や性能面から、特に好ましくは、ＵＶ硬化型メジウムインキまたは油性メジウムインキを塗布して形成するのが良い。
【００１１】
このように構成された感圧複写シート１は、使用時に転写シート２の記入欄にボールペン等で記入すると、図２のようにバックカーボンインキ層６の対応部分６ａが受容シート３の発色剤マイクロカプセル層７の上に転移して複写される。この時、加圧された発色剤マイクロカプセル層７は下層の硬質層８に押し付けられる状態となってその加圧部分の発色剤マイクロカプセルが確実に破壊され、破壊されたマイクロカプセルから出た発色剤がバックカーボンインキ層６の抜け落ち箇所６ｂを通過して顕色剤層５に転移し、その顕色剤によって発色剤が発色する。この発色部９は、バックカーボンインキの色とは異なるため容易に視認することができる。
【００１２】
発色剤マイクロカプセル層７の上には、転写シート２から転移したバックカーボンインキ層６の対応部分６ａが覆い被っていて、発色剤の顕色剤層５側への転移が懸念されるが、実験にて顕色剤層５での鮮やかな発色が認められ、発色剤が転写シート２側に転移することが確認されている。
【００１３】
図３は、本感圧複写シート１に対して改竄を試みようとした状態を示すもので、正規に記載した事項に対して改変となる記載を行なう場合、そして、虚偽の事項を記載する場合も転写シート２のみに記入を行なうものとなる。
即ち、転写シート２に対して不正な記載事項を記入すると、この記入によりバックカーボンインキ層６の対応部分６ａが抜け落ちることになる。この不正な記載に際して何らかの当て紙の上に転写シートを置いて記載することになると想定されるが、転写シート２一枚に記載を行なっても、下敷となった面に対応部分が転移する。そして、この改竄行為をした場合、受容シートが無いため、その発色剤マイクロカプセル層の発色剤が転移せず、顕色剤層５での発色は見られない。従って、バックカーボンインキ層６の抜け落ち箇所６ｂは、顕色剤層５の一部が白く見えるだけである。
このように、正しい使用の場合は転写シート裏面側に複写像が存在するのに対して、改竄した不正使用の場合は転写シート裏面側に複写像が存在しないことになり、転写シートの裏面側を見れば改竄の有無を簡単に判別することができる。
【００１４】
上記実施形態では２枚複写の例で説明したが、本発明はこれに限定されずに３枚以上の感圧複写シートで実施することも可能である。ちなみに、３枚複写の場合は転写シートと受容シートの間に転写・受容シートを挟み込み、この転写・受容シートの転写シート側の対向面に転写・受容シート側から順に硬質層と発色剤マイクロカプセル層を積層し、受容シート側の対向面には転写・受容シート側から順に顕色剤層とバックカーボンインキ層を設ける構成にすれば良い。
【００１５】
【発明の効果】
以上説明したように、本発明によれば、転写シートと受容シートとを重ね合わせた感圧複写シートであって、前記転写シートの対向面の要所に、該転写シート側から順に顕色剤層とバックカーボンインキ層とを積層して設け、受容シートの対向面における前記バックカーボンインキ層に少なくとも対向する所定領域に、該転写シート側から順に前記バックカーボンインキとは異色に発色する発色剤を含有した発色剤マイクロカプセル層と硬質層を積層して設けたので、情報記載した時の加圧によって発色剤マイクロカプセル層が硬質層に押し付けられることとなって、その発色剤マイクロカプセル層に含まれているマイクロカプセルが確実に破壊されて発色剤が顕色剤層に転移し、その転移による発色の度合いが鮮やかなものとなって、転写シート裏面側への複写の有無の確認作業が簡単になるなど、実用性に優れた効果を奏するものである。
【図面の簡単な説明】
【図１】本発明に係る改竄防止用感圧複写シートの一例を示す説明図である。
【図２】一例に対する正しい使用状態を示す説明図である。
【図３】一例に対する不正使用の状態を示す説明図である。
【図４】従来例を示すもので、（ａ）は従来のバックカーボン感圧複写シートを示す説明図、（ｂ）は転写シートに対する不正使用の状態を示す説明図、（ｃ）は同じく受容シートに対する不正使用の状態を示す説明図である。
【符号の説明】
１…改竄防止用感圧複写シート
２…転写シート
３…受容シート
４…綴合
５…顕色剤層
６…バックカーボン層
６ａ…対応部分
６ｂ…抜け落ち箇所
７…発色剤マイクロカプセル層
８…硬質層
９…発色部
【図１】
0004299956.tif 000002
【図２】
0004299956.tif 000003
【図３】
0004299956.tif 000004
【図４】
0004299956.tif 000005